(57)【要約】 【課題】  マイクロ波多重無線設備に関して、現地に出向する前に、適切な無線回線ルートの選定を机上でシミュレーションできるようにすると共に、無線回線ルート選定作業を支援できるようにする。【解決手段】  マイクロ波多重無線設備の建設候補地域図を画面上に表示するモニタ１１と、このモニタ１１に表示された建設候補地域図上に送信点と受信点の二地点を入力すると共に、マイクロ波多重無線設備の設計条件を入力するように操作されるキーボード１２及びマウス１３と、このキーボード１２又はマウス１３によって入力された設計条件に基づいて二地点間を結ぶ無線回線ルートの候補を抽出する制御システム１５とを備えるものである。この構成によって、抽出された無線回線ルートの候補の中から短期間に適切な無線回線ルートを選定できるようになるばかりか、従来方式に比べて現地に出向する回数を大幅に低減できるようになる。【選択図】    図１
2006279876.tif 000002
【特許請求の範囲】
【請求項１】
マイクロ波多重無線設備の設計情報を処理する装置であって、
前記マイクロ波多重無線設備の建設候補地域図を画面上に表示する表示手段と、
前記マイクロ波無線設備の設計条件を入力すると共に、前記表示手段に表示された前記建設候補地域図上に送信点と受信点の二地点を入力するように操作される入力手段と、
前記入力手段によって入力された前記設計条件に基づいて二地点間を結ぶ無線通信経路の候補の抽出支援をする制御手段とを備えることを特徴とする情報処理装置。
【請求項２】
前記無線通信経路の候補地域の地理条件と前記マイクロ波無線設備の設計条件とを比較して当該地理条件が設計条件を満足しているか否かを判別する判別手段を備えることを特徴とする請求項１に記載の情報処理装置。
【請求項３】
前記表示手段は、
前記判別手段から得られる判別結果に基づいて当該マイクロ波無線設備の二地点間を結ぶ無線通信経路の高低断面図を表示することを特徴とする請求項１に記載の情報処理装置。
【請求項４】
前記入力手段は、前記判別手段から得られる判別結果に基づいて当該マイクロ波無線設備の一方及び他方の地点との間に中継点を設定するように操作されることを特徴とする請求項１に記載の情報処理装置。
【請求項５】
前記判別手段は、
前記マイクロ波無線設備の一方又は他方の地点と中継点間を結ぶ無線通信経路の候補地域の地理条件と前記マイクロ波無線設備の設計条件とを比較して当該地理条件が設計条件を満足しているか否かを判別することを特徴とする請求項２に記載の情報処理装置。
【請求項６】
前記表示手段の画面上に建設候補地域図を表示するための地図情報及び前記二地点間を結ぶ無線通信経路の高低断面図を表示するための表示情報を記憶する記憶手段を備えることを特徴とする請求項１に記載の情報処理装置。
【請求項７】
マイクロ波無線設備の設計情報を処理する方法であって、
前記マイクロ波無線設備の建設候補地域図を画面上に表示するステップと、
前記マイクロ波無線設備の設計条件を入力すると共に、表示された前記建設候補地域図上に送信点と受信点の二地点を入力するステップと、
入力された前記設計条件に基づいて二地点間を結ぶ無線通信経路の候補を抽出するステップとを有することを特徴とする情報処理方法。
【請求項８】
前記無線通信経路の候補地域の地理条件と前記マイクロ波無線設備の設計条件とを比較して当該地理条件が設計条件を満足しているか否かを判別するステップを有していることを特徴とする請求項７に記載の情報処理方法。
【請求項９】
前記無線通信経路の候補地域の地理条件が前記マイクロ波無線設備の設計条件を満足していないと判別された場合に、当該マイクロ波無線設備の一方及び他方の地点との間に中継点を設定するステップを有することを特徴とする請求項７に記載の情報処理方法。
【請求項１０】
前記マイクロ波無線設備の一方又は他方の地点と中継点間を結ぶ無線通信経路の候補地域の地理条件と前記マイクロ波無線設備の設計条件とを比較して当該地理条件が設計条件を満足しているか否かを判別するステップを有することを特徴とする請求項７に記載の情報処理方法。
【請求項１１】
前記二地点間を結ぶ無線通信経路の高低断面図を表示するステップを有することを特徴とする請求項７に記載の情報処理方法。
【発明の詳細な説明】
【技術分野】
【０００１】
本発明は、電力事業や公衆通信事業等に関連するマイクロ波多重無線回線を施設する際の設計業務を支援するマイクロ波多重無線設備設計支援システムに適用して好適な情報処理装置及び情報処理方法に関する。
【０００２】
詳しくは、マイクロ波多重無線設備の設計情報を処理する場合に、当該マイクロ波多重無線設備の設計条件に基づいて二地点間を結ぶ無線通信経路の候補の抽出支援をする制御手段を備え、現地に出向する前に、机上のシミュレーションで抽出された無線通信経路の候補の中から短期間に適切な無線通信経路を選定できるようにすると共に、従来方式に比べて現地に出向する回数を大幅に低減できるようにした。
【背景技術】
【０００３】
近年、電力事業や公衆通信事業等において、アナログ又はデジタル方式のベースバンド多重音声信号又は多重映像信号等の広帯域信号をマイクロ波周波数帯域で無線中継して伝送するマイクロ波多重無線通信システムが利用される場合が多くなってきた。マイクロ波多重無線通信システムが応用される地域は、平坦な受信地域間を始め、受信地の周囲が山に囲まれている場合や、受信地が海や湖に近接している場合等、様々である。
【０００４】
この種の電力事業や公衆通信事業等に関連するマイクロ波多重無線回線を施設する際の設計業務は、「マイクロ波多重無線回線設計指針」に記載されている。設計者は、この指針に基づいて、無線局を広域に配置する等の設計業務を実行する。例えば、無線局を新たに配置する場合に、指針に書かれた設計条件を満たす現地に出向して、直接、地理条件が設計条件を満たすかを調査し、その調査結果に基づいてマイクロ波多重無線設備の設置場所や、無線回線ルート等を選択するようになされる。無線局には、アンテナや、給電線、分波器、マイクロ波送受信装置、変復調装置、回線切換装置、回線接続装置、制御回線送受信装置、遠方監視制御装置、回線切換制御装置及び電力装置等が備えられる。
【発明の開示】
【発明が解決しようとする課題】
【０００５】
ところで、従来例に係るマイクロ波多重無線設計システムによれば、以下のような問題がある。
【０００６】
ｉ．マイクロ波多重無線設備（無線局）を盆地等の山間部に配置する場合に、指針に書かれた設計条件を満たす現地に出向して、直接、地理条件が設計条件を満たすかを調査しなくてはならない。従って、マイクロ波多重無線設備の設置場所や、無線回線ルート（以下無線通信経路ともいう）等を選択するために現地へ出向する回数が多くなる。現地への出向回数を多くなると、マイクロ波多重無線設計時のコストアップにつながってしまう。
【０００７】
ii．また、現地へ出向しての調査業務には、実際に、山頂に登って送信地から受信地が見通せるか否か等を確認するようになされるが、その確認作業は、危険を伴う場合が多い。
【０００８】
そこで、この発明はこのような従来の課題を解決したものであって、マイクロ波多重無線設備に関して、現地に出向する前に、適切な無線通信経路の選定を机上でシミュレーションできるようにすると共に、無線通信経路選定作業を支援できるようにした情報処理装置及び情報処理方法を提供することを目的とする。
【課題を解決するための手段】
【０００９】
上述した課題を解決する情報処理装置は、マイクロ波無線設備の設計情報を処理する装置であって、マイクロ波無線設備の建設候補地域図を画面上に表示する表示手段と、マイクロ波無線設備の設計条件を入力すると共に、表示手段に表示された建設候補地域図上に送信点と受信点の二地点を入力するように操作される入力手段と、入力手段によって入力された設計条件に基づいて二地点間を結ぶ無線通信経路の候補の抽出支援をする制御手段とを備えることを特徴とするものである。
【００１０】
本発明の情報処理装置によれば、マイクロ波無線設備の設計情報を処理する場合に、例えば、記憶手段から表示手段には地図情報が読み出される。表示手段は、地図情報に基づいてマイクロ波無線設備の建設候補地域図を画面上に表示する。入力手段は、マイクロ波無線設備の設計条件を入力すると共に、表示手段に表示された建設候補地域図上に送信点と受信点の二地点を入力するように操作される。これを前提にして、制御手段は、入力手段によって入力された設計条件に基づいて二地点間を結ぶ無線通信経路の候補を抽出支援するようになされる。
【００１１】
例えば、判別手段は、無線通信経路の候補地域の地理条件とマイクロ波無線設備の設計条件とを比較して当該地理条件が設計条件を満足しているか否かを判別する。この判別手段から得られる判別結果に基づいて、表示手段は、当該マイクロ波無線設備の二地点間を結ぶ無線通信経路の高低断面図を表示するようになされる。
【００１２】
従って、現地に出向する前に、適切な無線通信経路の選定を机上でシミュレーションすることができ、無線通信経路の選定作業を支援することができる。しかも、抽出された無線通信経路の候補の中から短期間に適切な無線通信経路を選定できるようになるばかりか、従来方式に比べて現地に出向する回数を大幅に低減できるようになる。
【００１３】
本発明に係る情報処理方法は、マイクロ波無線設備の設計情報を処理する方法であって、マイクロ波無線設備の建設候補地域図を画面上に表示するステップと、マイクロ波無線設備の設計条件を入力すると共に、表示された建設候補地域図上に送信点と受信点の二地点を入力するステップと、入力された設計条件に基づいて二地点間を結ぶ無線通信経路の候補を抽出するステップとを有することを特徴とするものである。
【００１４】
本発明の情報処理方法によれば、マイクロ波無線設備の設計情報を処理する場合に、現地に出向する前に、適切な無線通信経路の選定を机上でシミュレーションすることができ、無線通信経路の選定作業を支援することができる。
【発明の効果】
【００１５】
本発明の情報処理装置によれば、マイクロ波無線設備の設計情報を処理する場合に、当該マイクロ波無線設備の設計条件に基づいて二地点間を結ぶ無線通信経路の候補の抽出支援をする制御手段を備えるものである。
【００１６】
この構成によって、現地に出向する前に、適切な無線通信経路の選定を机上でシミュレーションすることができ、無線通信経路の選定作業を支援することができる。しかも、抽出された無線通信経路の候補の中から短期間に適切な無線通信経路を選定できるようになるばかりか、従来方式に比べて現地に出向する回数を大幅に低減できるようになる。これにより、当該情報処理装置をマイクロ波無線設備設計支援装置として十分に応用することができる。
【００１７】
本発明の情報処理方法によれば、マイクロ波無線設備の設計情報を処理する場合に、当該マイクロ波無線設備の設計条件に基づいて二地点間を結ぶ無線通信経路の候補を抽出するようになされる。
【００１８】
この構成によって、現地に出向する前に、適切な無線通信経路の選定を机上でシミュレーションすることができ、無線通信経路の選定作業を支援することができる。しかも、抽出された無線通信経路の候補の中から短期間に適切な無線通信経路を選定できるようになる。また、従来方式に比べて現地に出向する回数を大幅に低減できるようになる。これにより、当該情報処理方法をマイクロ波無線設備設計方法として十分に応用することができる。
【発明を実施するための最良の形態】
【００１９】
続いて、この発明に係る情報処理装置及び情報処理方法について、図面を参照しながら説明をする。  
図１は、実施例としてのマイクロ波多重無線回線設計支援装置の構成例を示す図である。この実施例では、高度な三次元地図情報システム上でマイクロ波多重無線回線設計業務を実行できるようにしたものである。
【００２０】
図１に示すマイクロ波多重無線回線設計支援装置（以下単に設計支援装置１００という）は、情報処理装置の一例であり、マイクロ波多重無線設備の設計情報を処理する装置である。設計支援装置１００は、デスクトップ型又はノート型のパーソナルコンピュータ（以下パソコンという）が使用される。設計支援装置１００は、モニタ１１、キーボード１２、マウス１３、制御システム１５を有して構成される。
【００２１】
モニタ１１は、表示手段の一例であり、マイクロ波多重無線設備の建設候補地域図を画面上に表示するようになされる。表示手段には、液晶表示装置やブラウン管表示装置、液晶プロジェクタ、プラズマディスプレイ（ＰＤＰ）表示装置等が使用される。
【００２２】
キーボード１２及びマウス１３は入力手段の一例であり、任意に決めたマイクロ波多重無線設備の設置位置や選定したマイクロ波多重無線回線経路（無線通信経路、以下無線回線ルートという）を入力するようになされる。例えば、モニタ１１に表示された建設候補地域図上に送信点と受信点の二地点を入力したり、マイクロ波多重無線設備の設計条件を入力するように操作される。
【００２３】
制御システム１５は制御手段の一例であり、キーボード１２又はマウス１３によって入力された設計条件に基づいて二地点間を結ぶ無線回線ルートの候補の抽出支援をするようになされる。設計条件には、無線局の設置情報や、無線回線ルートの選定情報、混信妨害の検討情報、中継方式とその位置情報、反射板の位置情報、マイクロ波不適地に係る情報が含まれる。ここにマイクロ波不適地とは、マイクロ波多重無線回線経路として好ましくない水源涵養用の保安林、広大な水田地帯、海、大きな水面等をいう。マイクロ波不適地は、無線回線ルートの設計で避けるべき地図情報である。
【００２４】
制御システム１５にはＣＤ−ＲＯＭ１６が装着可能となされる。ＣＤ−ＲＯＭ１６には、モニタ１１の画面上に建設候補地域図を表示するための地図情報及び二地点間を結ぶ無線回線ルートの高低断面図を表示するための表示情報を格納したものである。地図情報及び表示情報は三次元地図情報システムを構築するために予め準備される。ＣＤ−ＲＯＭ１６には既存の地図ソフトウエアが使用される。このＣＤ−ＲＯＭ１６には緯度情報及び経度情報が記述され、山や河川等の地図情報が絶対位置で管理されている。
【００２５】
制御システム１５にはＣＤ−ＲＯＭ１６の他に、ＣＤ−ＲＯＭ１７が装着可能となされる。ＣＤ−ＲＯＭ１７には、モニタ１１で構築される三次元地図情報システム（既存システム）に、マイクロ波多重無線回線ルートとして好ましくない水源涵養用の保安林、広大な水田地帯、海、大きな水面等の文字又は絵文字を重ね合わせて表示するための不適地域情報が格納されている。
【００２６】
制御システム１５には選定結果出力手段を構成するプリンタ１４が接続可能となされ、シミュレーション結果を図示しない所定の用紙１８に印刷して出力するようになされる。プリンタ１４にはカラープリンタや、カラー複写機が使用される。
【００２７】
図２は、設計支援装置１００の制御系の構成例を示すブロック図である。図２に示す設計支援装置１００は、無線局の設置位置や、無線回線ルートの選定、混信妨害の検討、中継方式と位置、反射板の位置等が三次元地図情報システム上でシミュレーションできる制御システム１５を有している。
【００２８】
制御システム１５はシステムバス５１を有している。システムバス５１には、ＲＯＭ（Read Only Memory）５２、ＲＡＭ（Random Access Memory）５３、画像処理手段５４、ＣＰＵ（Central Processing Unit；中央処理ユニット）５５、ハードディスク（以下ＨＤＤという）５６、Ｉ／Ｏインターフェース５７、地図メモリ５８及び不適地メモリ５９が接続される。
【００２９】
ＲＯＭ５２には、当該設計支援装置１００を制御するためのシステムプログラムデータＤＰが格納される。ＲＡＭ５３は、ワークメモリとして使用され、例えば、システム起動時に制御コマンドやシステム起動プログラム等を一時記憶するようになされる。ＣＰＵ５５は電源がオンされると、ＲＯＭ５２からＲＡＭ５３へシステムプログラムデータＤＰを読み出してシステムを起動し、キーボード１２又はマウス１３からの操作データＤ３に基づいて当該設計支援装置の全体を制御するようになされる。
【００３０】
ＨＤＤ５６はデータベースを構成し、マイクロ波多重無線回線設計に関する種々の設計条件や指針（以下設計データＤ１２という）等、また、その選定結果情報等が格納される。上述した地図メモリ５８や不適地メモリ５９等をＨＤＤ５６の中に構成してもよい。
【００３１】
地図メモリ５８には、三次元地図情報システムを構成するためのＣＤ−ＲＯＭ１６から読み出した建設候補地域図表示用の地図データＤ１１や、高低断面図表示用の表示データＤ２が記憶される。不適地メモリ５９には、三次元地図情報システムを構成するためのＣＤ−ＲＯＭ１７から読み出した建設不適地域図表示用の不適地データＤ１３が記憶される。
【００３２】
また、不適地メモリ５９に、電力事業者が保有している変電所設置情報や、既存のマイクロ波送信及び受信基地情報等を記述するようにしてもよい。これらの情報に基づいて三次元地図情報システム上で不適地域と共に、電力事業者の変電所設置や、既存のマイクロ波送信及び受信基地を一緒にプロットできるようになる。地図メモリ５８や不適地メモリ５９等には、ＤＲＡＭやＳＲＡＭ等が使用される。
【００３３】
画像処理手段５４は、地図メモリ５８から読み出した建設候補地域図表示用の地図データＤ１１と、不適地メモリ５９から読み出した建設不適地域図表示用の不適地データＤ１３とを合成して、無線回線ルート選定用の三次元地図情報システムを構築するように画像処理される。また、画像処理手段５４は、ＣＰＵ５５から得られる判別結果に基づいてマイクロ波多重無線設備の二地点間を結ぶ無線回線ルートの高低断面図を表示する際に、高低断面表示映像中に、標高差及び見通し直線を表示するように画像処理される。これにより、マイクロ波多重無線設備の送信（発信）点と受信点との間における無線回線ルートの合否を三次元地図情報システム上でシミュレーションすることができる。
【００３４】
また、ＲＯＭ５２、ＲＡＭ５３及びＣＰＵ５５は判別手段５０を構成し、マイクロ波多重無線設備の位置や、無線回線ルートが定められた設計条件に見合うか否かを判定する。例えば、ＣＰＵ５５は無線回線ルートの候補地域の地理条件とマイクロ波多重無線設備の設計条件とを比較して当該地理条件が設計条件を満足しているか否かを判別するようになされる。地理条件には、水源涵養用の保安林、広大な水田地帯、海、大きな水面等の所在位置情報が含まれている。
【００３５】
上述のＲＯＭ５２には、システムプログラムデータＤＰの他に判別プログラムデータＤＰ’が格納される。ＲＡＭ５３には、無線回線ルートの候補地域の地理条件に係る地図データＤ１１やマイクロ波多重無線設備の設計条件等に係る設計データＤ１２が展開される。ＣＰＵ５５は比較機能を有し、ＲＡＭ５３に展開された無線回線ルートの候補地域の地理条件とマイクロ波多重無線設備の設計条件とを比較して当該地理条件が設計条件を満足しているか否かを判別する。
【００３６】
ＣＰＵ５５は、地図データＤ１１と設計データＤ１２を入力し、マイクロ波多重無線設備の一方又は他方の地点と中継点間を結ぶ無線回線ルートの候補地域の地理条件とマイクロ波多重無線設備の設計条件とを比較して当該地理条件が設計条件を満足しているか否かを判別する。当該地理条件が設計条件を満足していないと判別された場合に、ユーザに対して無線回線ルートの変更を促すように映像表示するようになされる。
【００３７】
例えば、マイクロ波多重無線設備の送信（発信）点と受信点とを結ぶ直線が、不適地領域上又はその領域に許容離隔距離以内に接近しているときは、警告を発生するようになされる。図示しないが、当該制御ユニット１５にオーディオユニットを組み込み、変更や警告等を音声出力するようにしてもよい。
【００３８】
上述のシステムバス５１にはＩ／Ｏインターフェース５７が接続される。Ｉ／Ｏインターフェース５７には、キーボード１２、マウス１３、モニタ１１及びプリンタ１４が接続される。キーボード１２又はマウス１３は、ＣＰＵ５５から得られる判別結果に基づいて当該マイクロ波多重無線設備の一方及び他方の地点との間に中継点を設定するように操作される。
【００３９】
このようにすると、二地点間を接続する無線回線ルートの候補地域の地理条件が当該マイクロ波多重無線設備の設計条件を満足していないと判別された場合、マイクロ波不適地を回避した建設候補領域であって、当該マイクロ波多重無線設備の一方及び他方の地点との間に中継点を設定することができる。
【００４０】
モニタ１１には、ＣＰＵ５５のソフトウエア機能である不適地域表示手段によって、モニタ１１の画面上に建設候補地域図上で、マイクロ波多重無線回線ルートとして好ましくない水源涵養用の保安林、広大な水田地帯、海、大きな水面等の文字又は絵文字を重ね合わせて表示するようになされる。
【００４１】
また、ＣＰＵ５５のソフトウエア機能である二点間選定手段によって、ＣＰＵ５５から判定結果に基づく表示データＤ２を入力し、マイクロ波多重無線設備の二地点間を結ぶ無線回線ルートの高低断面図を表示する。例えば、マイクロ波多重無線設備の送信（発信）点と受信点とが直線で結ばれたとき、その直線によって仕切られる断面の地形図を別のウインドウに表示するようになされる。高低断面を示す地形図は、同一画面上にポップアップ表示するようにしてもよい。
【００４２】
この高低断面図を表示中に、マイクロ波多重無線設備の送信（発信）点と受信点とを結ぶ直線が、断面表示された山や建物等を通過する場合は、ユーザに対して警告を発生するようになされる。警告は文字情報又は絵文字情報により表示される。マイクロ波多重無線設備の送信点と受信点とを結ぶ直線によって仕切られる断面の地形図には、標高差及び見通しの可能性が表示される。これにより、２点間での無線回線ルートの合否を三次元地図情報システム上でシミュレーションすることができる。
【００４３】
プリンタ１４はＣＰＵ５５のソフトウエア機能である選定結果出力手段によって制御され、印刷データＤ４に基づいてマイクロ波多重無線設備に関して設計条件を満足した送信点と受信点の座標位置やその所在位置情報等をプリントアウトするようになされる。
【００４４】
図３は、マイクロ波無線回線設計システム２００の構成例を示す概念図である。図３に示すマイクロ波無線回線設計システム２００は、設計支援装置１００に具現化される機能であり、無線回線ルートの完全自動化を図るものではなく、無線回線ルートのシミュレーションを机上で実行し、何本かの推奨ルートを提示し、最終的には、人間の判断を仰ぐシステムである。従って、人間系によるミラーチェックは最低限必要となるものである。
【００４５】
マイクロ波無線回線設計システム２００は、既存のソフトウエアである三次元地図情報システム３１に、マイクロ波多重無線回線設計の条件や、その指針等が上書きされたシステムである。この例では、三次元地図情報データベース（ＤＢ）を構成する地図メモリ５８から地図データＤ１１及び表示データＤ２を読み出して、例えば、ＲＡＭ５３のメモリ領域に展開される。他方で、マイクロ波不適地データベースを構成する不適地メモリ５９から不適地データＤ１３が読み出され、マイクロ波回線情報データベースを構成するＨＤＤ５６から設計データＤ１２が読み出され、そのメモリ領域上で結合するようになされる。
【００４６】
マイクロ波多重無線回線情報をプラグインするメモリ領域３２には、ＣＰＵ５５及びソフトウエアウエアによって構成される不適地域表示手段３３、二点間選定手段３４、選定結果出力手段３５が構築される。不適地域表示手段３３は不適地メモリ５９から不適地データ１３を読み出し、この不適地データ１３に基づいてモニタ１１を表示制御するようになされ、二点間選定手段３４は、キーボード１２及びマウス１３の操作に基づく操作データＤ３に基づいて表示制御をするようになされる。
【００４７】
選定結果出力手段３５は、マイクロ波回線情報をＨＤＤに格納したり、プリンタ１４に印刷データＤ４を出力し、例えば、建設候補地図上に無線回線ルートや所在位置等を記述した選定結果用紙１８をプリントアウトするようになされる。このように、マイクロ波多重無線回線設計に必要な様々な条件を三次元地図情報システム３１上でシミュレーションすることで、現地へ行く回数を最低の１回にすることが可能となる。特に、中継方式や、中継器、反射板の設置位置をシミュレーションすることで、短期間に適切な回線ルートを設定できるようになる。
【００４８】
図４は、モニタ１１における建設候補地域図の表示例を示す図である。図４に示す建設候補地域図の表示例によれば、画面のほぼ四方向に山Ｙ１，Ｙ２，Ｙ３，Ｙ４が表示され、ほぼ、中央に大規模な水田地帯Ｔ１が表示され、山Ｙ２とＹ３の間には、水田地帯Ｔ２が表示される。図中、５つの山Ｙ１，Ｙ２，Ｙ３，Ｙ４、Ｙ５は等高線で示している。建設候補地域図の映像は地図データＤ１１及び不適地データＤ１３に基づいてモニタ１１に表示される。
【００４９】
図中、山Ｙ２の山麓には、水源涵養用の保安林Ｗ１が表示され、山Ｙ３の山麓にも、水源涵養用の保安林Ｗ２が表示されている。山Ｙ１とＹ２の間には河川Ｒ１、山Ｙ１２とＹ３の間には河川Ｒ２、山Ｙ３とＹ４の間には河川Ｒ３、及び山Ｙ１とＹ５の間には河川Ｒ４が位置している。山Ｙ４と山Ｙ５とは峰続きになっている。
【００５０】
このような建設候補地域図画面は、既存のソフトウエアである三次元地図情報システム３１と、ＣＰＵ５５のソフトウエア機能である不適地域表示手段によって、モニタ１１に表示される。水源涵養用の保安林Ｗ１及びＷ２は、マイクロ波多重無線回線ルートとして好ましくない地域である。水田地帯Ｔ１及びＴ２もマイクロ波多重無線回線ルートとして好ましくない地域である。
【００５１】
図５は、建設候補地域図画面上におけるマイクロ波多重無線設備設定時の表示例を示す図である。
図５に示すマイクロ波多重無線設備設定時の表示例によれば、山Ｙ２の山麓にマイクロ波多重無線設備の受信点（第１の地点）Ｐ１が設定され、山Ｙ４の山頂にはマイクロ波多重無線設備の送信点（第２の地点）Ｐ２が設定される。図中、この二点間を波線で接続している。
【００５２】
これら設備の受信点Ｐ１及び送信点Ｐ２は、不動産の所有権等の設計条件によって動かせない場合を含んでいる。この二点間を接続する波線の左側には、無線回線ルートとして好ましくない水田地帯Ｔ１及び水源涵養用の保安林Ｗ１，Ｗ２が存在する。従って、受信点Ｐ１と送信点Ｐ２とを直線で結ぶことができないため、無線回線ルートとしては、相応しくないことがシミュレーション結果から分かる。この地域を迂回する選定シミュレーションを実行する必要がある。
【００５３】
図６は、建設候補地域図画面上における無線回線ルートの迂回時の表示例を示す図である。  
図６に示す無線回線ルートの迂回時の表示例によれば、山Ｙ１の山麓にマイクロ波多重無線設備の仮の受信点（第３の地点）Ｐ３’が設定される。仮の受信点Ｐ３’は、設計条件を満足すると、中継点Ｐ３となる。この受信点Ｐ３’と山Ｙ４の山頂の送信点Ｐ２とが二点間選定手段３４により直線で結ばれる。
【００５４】
図中、この二点間を波線で接続している。この二点間を接続する波線の左側は、水田地帯Ｔ１及び水源涵養用の保安林Ｗ１，Ｗ２から遠くに離れているので、二次元平面的には、無線回線ルートとして好ましい領域であるが、山Ｙ４と峰続きの山Ｙ５が存在する。従って、山Ｙ４の山頂送信点Ｐ２から山Ｙ１の山麓受信点Ｐ３’を見通したとき、山Ｙ５が障害となるかをシミュレーションする必要がある。
【００５５】
図７は、無線回線ルートの高低断面図の表示例を示す図である。図７に示す無線回線ルートの高低断面図の表示例によれば、山Ｙ１の山麓に仮に設定されたマイクロ波多重無線設備の受信点Ｐ３’と、山Ｙ４の山頂の送信点Ｐ２とを直線で結んだとき、その直線によって仕切られる断面の地形図の映像が表示データＤ２に基づいてモニタ１１に表示される。
【００５６】
この高低断面図では、マイクロ波多重無線設備である鉄塔の高さが組み入れられ、受信点Ｐ３’と送信点Ｐ２とが二点間選定手段３４により直線で結ばれる。表示画面中には、例えば、縦軸に５０ｍ単位に標高目盛りが表示される。横軸は二地点Ｐ１，Ｐ２間の離隔距離に依存する目盛りである。この例で、受信点Ｐ３’の標高は１０ｍであり、山Ｙ４は２５０ｍである。受信点Ｐ３’と送信点Ｐ２との標高差は２４０ｍである。
【００５７】
図中、この二点間を実線（直線）で接続している。この例で、二点間を接続する直線において、山Ｙ４と峰続きの山Ｙ５が障害となっている。受信点Ｐ３’と送信点Ｐ２とを直線で結ぶことができないため、無線回線ルートとしては、相応しくないことがシミュレーション結果から分かる。従って、山Ｙ５を迂回する他の無線回線ルートの選定シミュレーションを更に実行する必要がある。
【００５８】
図８は、建設候補地域図画面上における無線回線ルートの選定時の表示例を示す図である。  
図８に示す無線回線ルートの選定時の表示例によれば、山Ｙ１の山頂にマイクロ波多重無線設備の中継点Ｐ３が設定される。この中継点（第３の地点）Ｐ３と山Ｙ４の山頂の送信点Ｐ２とが二点間選定手段３４により直線で結ばれる。また、この中継点Ｐ３と山Ｙ２の山麓の受信点Ｐ１とが二点間選定手段３４により直線で結ばれる。
【００５９】
図中、この二点間を波線で接続している。この二点間を接続する波線の左側は、水田地帯Ｔ１及び水源涵養用の保安林Ｗ１，Ｗ２から遠くに離れているので、二次元平面的には、無線回線ルートとして好ましい領域である。また、山Ｙ４と峰続きの山Ｙ５とも、遙か眼下に見下ろす位置にある。従って、山Ｙ４の山頂送信点Ｐ２から山Ｙ１の山頂の中継点Ｐ３を見通したとき、山Ｙ５が障害となっておらず、無線回線ルートとして好ましい領域である。
【００６０】
このように、図５で与えられた山Ｙ２の山麓受信点Ｐ１と山Ｙ４の山頂送信点Ｐ２との間において、山Ｙ１の山頂に中継点Ｐ３を設定することで、この間を直線で結ぶ無線回線ルートを選定することができる。
【００６１】
続いて、本発明に係る情報処理方法について、設計支援装置１００の動作例を説明する。図９は、設計支援装置１００の動作例を示すフローチャートである。
【００６２】
この実施例では、マイクロ波多重無線設備の設計情報を処理する場合を前提とする。また、先に入力された設計条件に基づいて二地点Ｐ１，Ｐ２間を結ぶ無線回線ルートの候補を抽出すると、この二地点Ｐ１，Ｐ２間を接続する無線回線ルートの候補地域の地理条件が当該マイクロ波多重無線設備の設計条件を満足しているか否かを判別し、その条件を満たしていないと判断された場合は、当該マイクロ波多重無線設備の一方及び他方の地点との間に中継点を設定するようになされる。
【００６３】
なお、三次元地図情報システムを構築するための地図データＤ１１及び表示データＤ２は予め準備される。この例で、ＣＤ−ＲＯＭ１６には既存の地図ソフトウエアが使用される。ＣＤ−ＲＯＭ１６には緯度情報及び経度情報が記述され、山や河川等の地図情報が絶対位置で管理されている。また、ＣＰＵ５５は電源がオンされると、ＲＯＭ５２からＲＡＭ５３へシステムプログラムデータＤＰを読み出してシステムを起動し、キーボード１２又はマウス１３からの操作データＤ３に基づいて当該設計支援装置の全体を制御するようになされる。この例では、地理条件見通し条件が設計条件を満足する場合とこれらが設計条件を満足しない場合とに分けて説明する。
【００６４】
これらを動作条件にして、図９に示すフローチャートのステップＡ１でＣＰＵ５は、マイクロ波多重無線設備の建設候補地域図用の地図データＤ１１及び二地点Ｐ１，Ｐ２間を結ぶ無線回線ルートの高低断面図を表示するための表示データＤ２を入力する。例えば、制御システム１５にはＣＤ−ＲＯＭ１６が装着され、ＣＤ−ＲＯＭ１６から地図データＤ１１及び表示データＤ２が読み出され、地図メモリ５８に格納される。制御システム１５にはＣＤ−ＲＯＭ１７が装着され、ＣＤ−ＲＯＭ１７からマイクロ波多重無線回線ルートとして好ましくない水源涵養用の保安林、広大な水田地帯、海、大きな水面等の不適地データＤ１３が読み出され、不適地メモリ５９に格納される。
【００６５】
次にステップＡ２でＣＰＵ５５は、マイクロ波多重無線設備建設候補地域図を画面上に表示するように画像処理手段５４及びモニタ１を制御する。画像処理手段５４では、地図メモリ５８から読み出した建設候補地域図表示用の地図データＤ１１と、不適地メモリ５９から読み出した建設不適地域図表示用の不適地データＤ１３とを合成して、無線回線ルート選定用の三次元地図情報システムを構築するように画像処理される。
【００６６】
図４に示した表示例によれば、既存のソフトウエアである三次元地図情報システム３１と、ＣＰＵ５５のソフトウエア機能である不適地域表示手段によって、建設候補地域図画面がモニタ１１に表示される。その例では、画面のほぼ四方向に山Ｙ１，Ｙ２，Ｙ３，Ｙ４が表示され、ほぼ、中央に大規模な水田地帯Ｔ１が表示され、山Ｙ２とＹ３の間には、水田地帯Ｔ２が表示される。図中、５つの山Ｙ１，Ｙ２，Ｙ３，Ｙ４、Ｙ５は等高線で示している。建設候補地域図の映像は地図データＤ１１及び不適地データＤ１３に基づいてモニタ１１に表示される。
【００６７】
この例では、山Ｙ２の山麓には、水源涵養用の保安林Ｗ１が表示され、山Ｙ３の山麓にも、水源涵養用の保安林Ｗ２が表示されている。山Ｙ１とＹ２の間には河川Ｒ１、山Ｙ１２とＹ３の間には河川Ｒ２、山Ｙ３とＹ４の間には河川Ｒ３、及び山Ｙ１とＹ５の間には河川Ｒ４が位置している。山Ｙ４と山Ｙ５とは峰続きになっている。
【００６８】
モニタ１１は、画像処理手段５４から出力される建設候補地域図と建設不適地域図とを合成した無線回線ルート選定用の三次元地図を画面上に表示する。このとき、モニタは、水源涵養用の保安林、広大な水田地帯、海、大きな水面等の所在位置を強調するための文字又は絵文字を重ね合わせて表示するようになされる。なお、電力事業者が保有している変電所設置情報や、既存のマイクロ波送信及び受信基地情報等を不適地メモリ５９から読み出して建設候補地域図に重ねて表示してもよい。
【００６９】
図４に示した表示例によれば、水源涵養用の保安林Ｗ１及びＷ２は、マイクロ波多重無線回線ルートとして好ましくない地域である。水田地帯Ｔ１及びＴ２もマイクロ波多重無線回線ルートとして好ましくない地域である。モニタ１１には、ＣＰＵ５５のソフトウエア機能である不適地域表示手段によって、モニタ１１の画面上に建設候補地域図上で、マイクロ波多重無線回線ルートとして好ましくない水源涵養用の保安林Ｗ１及びＷ２、広大な水田地帯Ｔ１及びＴ２、海、大きな水面等の文字又は絵文字を重ね合わせて表示するようになされる。
【００７０】
次に、ステップＡ３でＣＰＵ５５はマイクロ波多重無線設備の設計条件を入力処理する。このとき、ユーザは、キーボード１２及びマウス１３を使用して、任意に決めたマイクロ波多重無線設備の設置情報や、無線回線ルートの選定情報、混信妨害の検討情報、中継方式とその位置情報、反射板の位置情報、マイクロ波不適地に係る情報等の設計条件を入力するようになされる。これらのマイクロ波多重無線回線設計に関する種々の設計条件や指針等の設計データＤ１２は、ＨＤＤ５６から画像処理手段５４に読み出される。
【００７１】
その後、ステップＡ４でＣＰＵ５５は、建設候補地域図上に受信点（第１の地点）Ｐ１と送信点（第２の地点）Ｐ２との二地点Ｐ１，Ｐ２を入力処理する。例えば、ユーザは、キーボード１２又はマウス１３を使用して、モニタ１１に表示された建設候補地域図上に受信点Ｐ１と送信点Ｐ２の二点を入力する。受信点Ｐ１と送信点Ｐ２の二点は、操作データＤ３としてＣＰＵ５５に出力される。ＣＰＵ５５は、操作データＤ３に基づいて無線回線ルートを入力するようになされる。ＣＰＵ５５は、キーボード１２又はマウス１３によって入力された設計条件に基づいて二地点Ｐ１，Ｐ２間を結ぶ無線回線ルートの候補の抽出支援をするようになされる。
【００７２】
図５に示した表示例によれば、山Ｙ２の山麓にマイクロ波多重無線設備の受信点Ｐ１が設定され、山Ｙ４の山頂にはマイクロ波多重無線設備の送信点Ｐ２が設定される。この例では二点Ｐ１，Ｐ２間を接続する波線の左側には、無線回線ルートとして好ましくない水田地帯Ｔ１及び水源涵養用の保安林Ｗ１，Ｗ２が存在する。
【００７３】
そして、ステップＡ５に移行して、ＣＰＵ５５は、マイクロ波多重無線設備の位置や、無線回線ルートが定められた設計条件に見合うか否かを判定する。例えば、ＲＯＭ５２から判別プログラムデータＤＰ’が読み出され、ＲＡＭ５３に展開される。ＣＰＵ５５は比較機能を利用し、判別プログラムデータＤＰ’に基づいて、ＲＡＭ５３に展開された無線回線ルートの候補地域の地理条件とマイクロ波多重無線設備の設計条件とを比較して当該地理条件が設計条件を満足しているか否かを判別する。地理条件には、水源涵養用の保安林Ｗ１，Ｗ２、広大な水田地帯Ｔ１，Ｔ２、海、大きな水面等の所在位置情報が含まれている。
【００７４】
［設計条件等を満足する場合］
上述のステップＡ５で、無線回線ルートの候補地域の地理条件がマイクロ波多重無線設備の設計条件を満足している判別された場合は、ステップＡ６に移行して、二地点Ｐ１，Ｐ２間を結ぶ無線回線ルートの高低断面図を表示する。画像処理手段５４では、ＣＰＵ５５から得られる判別結果に基づいてマイクロ波多重無線設備の二地点Ｐ１，Ｐ２間を結ぶ無線回線ルートの高低断面図を表示する際に、高低断面表示映像中に、標高差及び見通し直線を表示するように画像処理される。見通し直線とは、高低断面図において、二地点Ｐ１，Ｐ２間を結ぶ無線回線ルートをいう。見通し直線が、山や建物等の障害物を貫通するように通過する場合は、無線回線ルートとして相応しくない場合である。この設計条件を以下で見通し条件という。
【００７５】
そして、ステップＡ７に移行して、ＣＰＵ５５は無線回線ルートの高低断面における見通し条件とマイクロ波多重無線設備の設計条件とを比較して当該見通し条件が設計条件を満足しているか否かを判別する。無線回線ルートの高低断面における見通し条件がマイクロ波多重無線設備の設計条件を満足していると判別された場合は、ステップＡ９に移行する。
【００７６】
［設計条件等を満足しない場合］
なお、ステップＡ５でＣＰＵ５５によって、無線回線ルートの候補地域の地理条件がマイクロ波多重無線設備の設計条件を満足していないと判別された場合は、ステップＡ８にして、ＣＰＵ５５は、ユーザに対して無線回線ルートの変更を促し、マイクロ波多重無線設備の一方及び他方の地点との間に中継点を設定するようにモニタ１１を映像表示制御してガイド（警告）する。
【００７７】
図５に示した表示例によれば、マイクロ波多重無線設備の受信点Ｐ１と送信点Ｐ２とを結ぶ直線が、不適地領域上又はその領域に許容離隔距離以内に接近しているので、警告を発生するようになされる。この例では、受信点Ｐ１と送信点Ｐ２とを結ぶ直線の左側に不適地域が存在するため、無線回線ルートとしては、相応しくないことがシミュレーション結果から分かる。この地域を迂回する選定シミュレーションを実行する必要がある。
【００７８】
この警告を受けて、ユーザは、キーボード１２又はマウス１３を使用して、当該マイクロ波多重無線設備の一方及び他方の地点との間に中継点を設定するように操作される。このようにすると、マイクロ波不適地を回避した建設候補領域であって、当該マイクロ波多重無線設備の一方及び他方の地点との間に中継点を設定することができる。
【００７９】
図６に示した無線回線ルートの迂回時の表示例によれば、モニタ１１は、山Ｙ１の山麓にマイクロ波多重無線設備の仮の中継点Ｐ３’を設定するように表示する。この中継点（第３の地点）Ｐ３’と山Ｙ４の山頂の送信点Ｐ２とが二点間選定手段３４により直線で結ばれる。
【００８０】
そして、ステップＡ５に戻ってＣＰＵ５５は、マイクロ波多重無線設備の送信点Ｐ２と中継点Ｐ３’間の無線回線ルートの候補地域の地理条件とマイクロ波多重無線設備の設計条件とを比較して当該地理条件が設計条件を満足しているか否かを判別する。この例では、二点Ｐ２，Ｐ３’間を接続する波線の左側は、水田地帯Ｔ１及び水源涵養用の保安林Ｗ１，Ｗ２から遠くに離れているので、二次元平面的には、無線回線ルートとして好ましい領域である。なお、山Ｙ４と峰続きの山Ｙ５が存在するので、この山Ｙ４の山頂送信点Ｐ２から山Ｙ１の山麓中継点Ｐ３’を見通したとき、山Ｙ５が障害となるかをシミュレーションする必要がある（図６参照）。
【００８１】
次に、ステップＡ６に移行して、ＣＰＵ５５は、二地点Ｐ２，Ｐ３’間を結ぶ無線回線ルートの高低断面図を表示するようにモニタ１１を制御する。画像処理手段５４では、高低断面表示映像中に、標高差及び見通し直線を表示するように画像処理される。このとき、モニタ１１には、図７に示したような山Ｙ１の山麓に仮に設定されたマイクロ波多重無線設備の中継点Ｐ３’と、山Ｙ４の山頂の送信点Ｐ２とを直線で結んだとき、その直線によって仕切られる断面の地形図の映像が、表示データＤ２に基づいて表示される。
【００８２】
この例では、マイクロ波多重無線設備である鉄塔の高さが組み入れられ、仮の中継点Ｐ３’と送信点Ｐ２とが二点間選定手段３４により直線で結ばれる。この例で、中継点Ｐ３’の標高は１０ｍであり、山Ｙ４は２５０ｍである。中継点Ｐ３’と送信点Ｐ２との標高差は２４０ｍである。
【００８３】
その後、ステップＡ７に移行して、ＣＰＵ５５は無線回線ルートの高低断面における見通し条件と、マイクロ波多重無線設備の設計条件とを比較して当該見通し条件が設計条件を満足しているか否かを判別する。図７に示した表示例によれば、二点Ｐ２，Ｐ３間を接続する直線において、山Ｙ４と峰続きの山Ｙ５が障害となっている。
【００８４】
この例では、中継点Ｐ３’と送信点Ｐ２とを直線で結ぶことができないため、無線回線ルートとしては、相応しくないことがシミュレーション結果から分かる。従って、図７に示した無線回線ルートの高低断面図の表示例によれば、山Ｙ５を迂回する他の無線回線ルートの選定シミュレーションを更に実行する必要がある。
【００８５】
このように、無線回線ルートの高低断面における見通し条件がマイクロ波多重無線設備の設計条件を満足していないと判別された場合は、ステップＡ８に戻って上述した処理を繰り返すようになされる。図８に示した無線回線ルートの選定時の表示例によれば、山Ｙ１の山頂にマイクロ波多重無線設備の中継点Ｐ３が設定される。この中継点（第３の地点）Ｐ３と山Ｙ４の山頂の送信点Ｐ２とが二点間選定手段３４により直線で結ばれる。また、この中継点Ｐ３と山Ｙ２の山麓の受信点Ｐ１とが二点間選定手段３４により直線で結ばれる。
【００８６】
この例では、二点Ｐ２，Ｐ３間を接続する波線の左側は、水田地帯Ｔ１及び水源涵養用の保安林Ｗ１，Ｗ２から遠くに離れているので、二次元平面的には、無線回線ルートとして好ましい領域である。また、山Ｙ４と峰続きの山Ｙ５とも、遙か眼下に見下ろす位置にある。図８に示した表示例によれば、山Ｙ４の山頂送信点Ｐ２から山Ｙ１の山頂の中継点Ｐ３を見通したとき、山Ｙ５が障害となっておらず、無線回線ルートとして好ましい領域である。このように、山Ｙ５を迂回する無線回線ルートが抽出され、上述の無線回線ルートの高低断面における見通し条件がマイクロ波多重無線設備の設計条件を満足していると判別された場合は、ステップＡ９に移行する。
【００８７】
ステップＡ９では、ＣＰＵ５５は結果出力及び結果保存処理を実行する。この例では、図５で与えられた山Ｙ２の山麓受信点Ｐ１と山Ｙ４の山頂送信点Ｐ２との間において、山Ｙ１の山頂に中継点Ｐ３を設定することで、この間を直線で結ぶ無線回線ルートを選定することができる。
【００８８】
例えば、ＣＰＵ５５のソフトウエア機能である選定結果出力手段によってプリンタ１４を制御し、プリンタ１４は、印刷データＤ４に基づいてマイクロ波多重無線設備に関して設計条件を満足した受信点Ｐ１、送信点Ｐ２及び中継点Ｐ３の座標位置やその所在位置情報等を所定の用紙１８にプリントアウトするようになされる。シミュレーション結果に基づく選定結果情報等は、ＨＤＤ５６に格納される。
【００８９】
その後、ステップＡ１０に移行してＣＰＵ５５は終了判断をする。例えば、電源オフ情報を検出してマイクロ波多重無線設備設計支援処理を終了する。電源オフ情報が検出されない場合は、ステップＡ３に戻って設計条件を入力して、上述した処理を繰り返すようになされる。
【００９０】
このように、実施例としての設計支援装置１００及び情報処理方法によれば、マイクロ波多重無線設備の設計情報を処理する場合に、制御システム１５は、キーボード１２及びマウス１３によって入力された設計条件に基づいて二地点Ｐ１，Ｐ２間を結ぶ無線回線ルートの候補を抽出支援するようになされる。この例では、ＣＰＵ５５が無線回線ルートの候補地域の地理条件とマイクロ波多重無線設備の設計条件とを比較して当該地理条件が設計条件を満足しているか否かを判別する。このＣＰＵ５５から得られる判別結果に基づいて、モニタ１１には、当該マイクロ波多重無線設備の二地点Ｐ２，Ｐ３間を結ぶ無線回線ルートの高低断面図が表示される。
【００９１】
従って、マイクロ波多重無線設備の受信点Ｐ１と送信点Ｐ２との間における無線回線ルートの合否を三次元地図情報システム上でシミュレーションできる。これにより、現地に出向する前に、適切な無線回線ルート机上で選定することができ、無線回線ルートの選定作業を支援することができる。しかも、抽出された無線回線ルートの候補の中から短期間に適切な無線回線ルートを選定できるようになるばかりか、従来方式に比べて現地に出向する回数を大幅に低減できるようになる。これにより、マイクロ波多重無線設備設計業務に当該設計支援装置１００を十分に応用することができる。
【産業上の利用可能性】
【００９２】
この発明は、電力事業や公衆通信に関連するマイクロ波多重無線回線を施設する際の設計業務を支援するマイクロ波多重無線設備設計支援システムに適用して極めて好適である。
【図面の簡単な説明】
【００９３】
【図１】実施例としてのマイクロ波多重無線回線設計支援装置１００の構成例を示す図である。
【図２】設計支援装置１００の制御系の構成例を示すブロック図である。
【図３】マイクロ波無線回線設計システム２００のソフトウエアの構成例を示す概念図である。
【図４】モニタ１１における建設候補地域図の表示例を示す図である。
【図５】建設候補地域図画面上におけるマイクロ波多重無線設備設定時の表示例を示す図である。
【図６】建設候補地域図画面上における無線回線ルートの迂回時の表示例を示す図である。
【図７】無線回線ルートの高低断面図の表示例を示す図である。
【図８】建設候補地域図画面上における無線回線ルートの選定時の表示例を示す図である。
【図９】設計支援装置１００における動作例を示すフローチャートである。
【符号の説明】
【００９４】
１１・・・モニタ（表示手段）、１２・・・キーボード（入力手段）、１３・・・マウス（入力手段）、１４・・・プリンタ、１５・・・制御システム、１６，１７・・・ＣＤ−ＲＯＭ（記憶手段）、３１・・・三次元地図表示システム、３２・・・マイクロ波多重無線回路情報プラグイン、３３・・・不適地域表示手段、３４・・・二点間選定手段、３５・・・選定結果出力手段、５４・・・画像処理手段、５５・・・ＣＰＵ（制御手段）、５６・・・ＨＤＤ（マイクロ波回線情報データベース）、５８・・・地図メモリ（三次元地図情報データベース）、５９・・・不適地メモリ（マイクロ波不適地域データベース）、１００・・・マイクロ波多重無線回線設計支援装置、２００・・・マイクロ波無線回線設計システム
【図１】
2006279876.tif 000003
【図２】
2006279876.tif 000004
【図３】
2006279876.tif 000005
【図４】
2006279876.tif 000006
【図５】
2006279876.tif 000007
【図６】
2006279876.tif 000008
【図７】
2006279876.tif 000009
【図８】
2006279876.tif 000010
【図９】
2006279876.tif 000011